(57)【特許請求の範囲】
【請求項１】
流路方向に沿って多数並べられ、コンクリート壁によって流路を形成するコンクリート二次製品の継目に、可撓性を持つリング状の継手を介在させたコンクリート二次製品の継手構造において、前記継目は、該コンクリート壁の端面の流路面側となる内面側から該端面に平行な凹入部を設け、その凹入部の底面側に連続してコンクリート壁の内面側をコンクリート二次製品の径方向の外側に位置するように低く形成して小壁を設け、該小壁に連続して該端面から離れる位置の内面側に溝を形成してなり、他方、前記継手は、隣接するコンクリート二次製品の流路中心線同士の交差角に追従し、周方向となる幅（Ｗ）と径方向となる高さ（Ｈ）との寸法比Ｈ／Ｗを０．１以上０．５以下の範囲の周方向に沿って伸縮自在となる帯部と、該帯部の両側端に係合突起を設けた端部と、該端部のコンクリート二次製品と接触する外周面側から該帯部に向かって突設したフィンとにより形成してなり、該凹入部は該帯部を収納することのできる収納部とし、該小壁は該フィンの先端部が当接湾曲して密着する流路を流れる液体の漏れ防止の水密部とし、該溝は該両側端の係合突起が止水材を介して係合圧接される係合部としてなることを特徴とするコンクリート二次製品の継手構造。
【請求項２】
前記帯部は、幅方向の中心部が径方向外方に突出するＶ字形状であることを特徴とする請求項１記載のコンクリート二次製品の継手構造。
【請求項３】
前記係合突起と前記溝の内面との間に止水材を設け、該溝の側面に該係合突起を圧接してなることを特徴とする請求項１又は２記載のコンクリート二次製品の継手構造。
【請求項４】
前記コンクリート二次製品は、円形流路を有する側溝の一部を形成するものであることを特徴とする請求項１乃至３のいずれか記載のコンクリート二次製品の継手構造。
【発明の詳細な説明】
【０００１】
【発明の利用分野】
本発明は、主として雨水や下水などの排水に用いるコンクリート二次製品同士を連結する継手構造に関するものである。
【０００２】
【従来の技術および発明が解決しようとする課題】
コンクリート二次製品の製造技術の発達により、道路の排水側溝等の敷設にコンクリート二次製品を用いることが多くなっている。このようなコンクリート二次製品の大部分は規格品であり、その形状は直線的である。また、コンクリート二次製品を用いて敷設する場合には、各コンクリート二次製品を連結する必要がある。
【０００３】
コンクリート二次製品を連結する部材として、例えば、実開平４−４５９５号公報に開示されているリング状シール継手がある。図７に示すように、このシール継手１０１は弾性部材からなり、２つのコンクリート製の埋設管ブロック１０５，１０６の間に挿入されてシール機能を果たす。また、シール継手１０１には、埋設管ブロック１０５，１０６の端面間に位置するループ１０３ａが設けられているため、埋設管ブロック１０５，１０６同士の芯ぶれが発生しても、ループ１０３ａが柔軟に追従して水密性を維持する。
【０００４】
ところが、道路は必ずしも直線的ではなく、例えば、交差点等の曲線部においては、排水側溝等は曲線的に敷設される。この場合、図７に示すリング状シール継手では、直線的なコンクリートブロック１０５，１０６同士の中心交差角を１８０°以外にして敷設しようとしても、拡張用ループ１０３ａによる横方向１０７の伸縮には限度がある。また、拡張用ループ１０３ａがその内部に板状の芯材１０２を有するので、拡張用ループ１０３ａはほとんど湾曲できず、曲がった経路に敷設することができない。
【０００５】
そこで、直線的なコンクリートブロックを曲がった経路に沿って敷設する場合には、直線的なコンクリートブロックを経路に沿って複数連ね、ブロック同士の傾斜して相対向する端面間に紙管、塩化ビニル管、またはベニヤ板等の平板を円筒形にしてブロック間に挿入し、その上部よりコンクリートを打設して接続する方法が採られている。しかし、この方法では、狭い作業場所でコンクリートを打設しなければならないため、作業性、加工性、流路面の平滑性、断面形状の確保に問題がある。
【０００６】
以上より、本発明は、直線的なコンクリート二次製品を曲線部に敷設するのに適した継手構造を提供することを目的とする。
【０００７】
【課題を解決するための手段】
上記目的を達成するために、本発明のコンクリート二次製品の継手構造は、流路方向に沿って多数並べられ、コンクリート壁によって流路を形成するコンクリート二次製品の継目に、可撓性を持つリング状の継手を介在させたコンクリート二次製品の継手構造において、前記継目は、該コンクリート壁の端面の流路面側となる内面側から該端面に平行な凹入部を設け、その凹入部の底面側に連続してコンクリート壁の内面側をコンクリート二次製品の径方向の外側に位置するように低く形成して小壁を設け、該小壁に連続して該端面から離れる位置の内面側に溝を形成してなり、他方、前記継手は、隣接するコンクリート二次製品の流路中心線同士の交差角に追従し、周方向となる幅（Ｗ）と径方向となる高さ（Ｈ）との寸法比Ｈ／Ｗを０．１以上０．５以下の範囲の周方向に沿って伸縮自在となる帯部と、該帯部の両側端に係合突起を設けた端部と、該端部のコンクリート二次製品と接触する外周面側から該帯部に向かって突設したフィンとにより形成してなり、該凹入部は該帯部を収納することのできる収納部とし、該小壁は該フィンの先端部が当接湾曲して密着する流路を流れる液体の漏れ防止の水密部とし、該溝は該両側端の係合突起が止水材を介して係合圧接される係合部としてなるコンクリート二次製品の継手構造を特徴とする。
【０００８】
本発明のコンクリート二次製品の継手構造によれば、隣接するコンクリート二次製品の流路中心線同士の交差角に追従して周方向の幅寸法が変化可能であるため、交差角が１８０°以外である道路の曲線部などにおいても、容易に直線状のコンクリート二次製品を敷設できる。
【０００９】
ここで、「可撓性」とは、柔軟に変形できる性質をいう。
「隣接するコンクリート二次製品」とは、コンクリート壁によって形成された各流路が継手によって接続されると、１つの流路を形成するように隣合ったコンクリート二次製品をいう。
「コンクリート二次製品の流路中心線」とは、コンクリート二次製品の流路断面の中心を連ねた線をいう。例えば、コンクリート二次製品が円形流路を有する側溝を形成するものであれば、円筒形状である流路の中心軸が流路中心線である。
「隣接するコンクリート二次製品の流路中心線同士の交差角」とは、コンクリート二次製品の端面における流路中心線同士またはこれを直線的に延長した延長線同士が交わる角度をいう。コンクリート二次製品を道路の直線部、つまり曲がっていない場所に敷設する場合、流路中心線同士は重なるので、交差角は１８０°である。
【００１０】
前記帯部は、幅方向の中心部が径方向外方に突出するＶ字形状とするのが好ましい。この構成によれば、継手の帯部がＶ字形状であるため、コンクリート製品間の隙間の大きさに応じてＶ字の幅が調節される。したがって、隣接するコンクリート二次製品の流路中心線同士の交差角が１８０°以外の場合、前記隙間が相対向する端面の位置に応じて変化するので、これに伴って周方向に沿ってＶ字の幅が変化して幅寸法が調節される。
ここで、「Ｖ字形状」には、頂部で屈曲したいわゆる典型的なＶ字形状のみでなく、より丸みを帯びたＵ字形状なども含まれ、周方向に沿って帯部の幅寸法が変化できる、幅方向の中心部が突出した形状全てが含まれる。
【００１１】
前記取付部は、それぞれ、コンクリート壁の内面に取り付けられるのが好ましい。この構成によれば、継手の外周部分に、隣接するコンクリート二次製品の相対向する端面によって区画された空間を確保できる。したがって、この空間に例えばコンクリートを打設すれば、コンクリート二次製品と継手を固定することができる。取付部がコンクリート壁の例えば外面部に取り付けられると、コンクリート二次製品間に、流路を通過する液体が溜まってしまうが、コンクリート壁の内面に取り付けられているため、このようなおそれはない。
【００１２】
前記取付部は、それぞれ、コンクリート壁の内面に設けられた溝に係合する係合突起で形成するのが好ましい。この構成によれば、接着剤などを用いることなくコンクリート二次製品と継手とを接続できる。
【００１３】
本発明の好ましい実施形態では、前記係合突起と前記溝の内面との間に、止水材を設ける。この構成によれば、止水材によって、流路を通過する液体が継手の外周へ流れ出るのを一層確実に防止することができる。また、止水材として弾性部材を用いれば、継手の端部およびコンクリート壁の加工による寸法誤差を吸収できる。さらに、継手の係合突起がコンクリート壁の内面に設けられた溝に係合する場合は、弾性部材からなる止水材によって係合突起が溝の側面に圧接されるので、流路を通過する液体が外周へ流出するのをより効果的に抑制でき、一層優れた止水効果が奏される。さらに、止水材の素材等によっては、継手の端部が溝から抜けるのをさらに防止できる。
ここで、「止水材」とは、コンクリート壁によって形成された流路を通過する水のような液体を遮断するか透水性を著しく低下させる部材をいう。
【００１４】
本発明の好ましい実施形態では、前記コンクリート二次製品の端面の内径側部分に、流路方向に凹入して前記帯部を収納する凹入部が設けられている。この構成によれば、隣接するコンクリート製品の相対した２つの凹入部にＶ字形状の帯部が収納されるので、隣接するコンクリート二次製品の継目に継手を介在させても、この継手によって妨害されることなく、コンクリート二次製品同士を接近させることができる。
【００１５】
本発明の好ましい実施形態では、前記コンクリート二次製品は、円形流路を有する側溝の一部を形成するものである。
【００１６】
本発明のコンクリート二次製品の継手構造に使用する継手は、可撓性を持ち、コンクリート二次製品同士を連結するリング状の継手であって、周方向に沿って延びた帯部と、この帯部の両側端にそれぞれ位置し、コンクリート二次製品に取り付けられる取付部を有する端部とを備え、前記帯部は、幅方向の中心部が径方向外方に突出するＶ字形状であり、周方向に沿って幅寸法が変化可能である。
【００１７】
本発明の好ましい実施形態では、前記帯部の幅に対する高さの比が、継手に外力が作用しない自然状態において、０．１以上０．５以下の範囲内である。この構成によれば、Ｖ字形状である帯部の幅に対する高さの比が自然状態において大きすぎないため、継手がスムーズに屈曲でき、継目の大きさに合わせて幅寸法を小さくできる。また、前記比が自然状態において小さすぎないため、継目の大きさに帯部の周方向の変化を十分に追従させて帯部の幅寸法を大きくできる。
より好ましくは、前記帯部の幅に対する高さの比は、継手に外力が作用しない自然状態において、０．１５以上０．３５以下の範囲内である。さらに好ましくは、前記帯部の幅に対する高さの比は、継手に外力が作用しない自然状態において、０．２以上０．３以下の範囲内である。
【００１８】
本発明の好ましい実施形態では、前記帯部と前記端部との間に、前記帯部よりも肉厚が薄い屈曲部が設けられている。この構成によれば、肉圧の薄い屈曲部が存在するため、継手が屈曲部において容易に屈曲できる。
ここで、「屈曲部」とは、Ｖ字形状の帯部が、その側端部分で端部に対して屈曲するのを、さらに助長させる部分をいう。
【００１９】
本発明の好ましい実施形態では、前記端部に、コンクリート二次製品と接触する外周面に、それぞれ、前記帯部に向かって延びるフィンが設けられ、このフィンは径方向内方に湾曲可能な先端部を有する。この構成によれば、フィンがコンクリート二次製品を圧接するので、継手とコンクリート二次製品が密接する。したがって、コンクリート二次製品の流路を流れる液体が、漏れてしまうおそれがない。
【００２０】
上記コンクリート二次製品の継手施工法としては、流路方向に沿って多数並べられ、コンクリート壁によって流路を形成するコンクリート二次製品に対し、その継目に本発明にかかる継手を介在させる継手施工法であって、一方のコンクリート二次製品のコンクリート壁に、前記継手の一方の取付部を取り付けて、前記継手をこの一方のコンクリート二次製品に装着し、他方のコンクリート二次製品のコンクリート壁に、前記継手の他方の取付部を取り付けて、前記継手をこの他方のコンクリート二次製品に装着する。
【００２１】
この構成によれば、継手の両取付部をそれぞれコンクリート二次製品のコンクリート壁に取り付けるだけで、２つのコンクリート二次製品を継手によって接続できるので、現場打ちコンクリートを打設するような作業が不要となり、接続作業が容易になる。
【００２２】
本発明の好ましい実施形態では、前記両コンクリート二次製品のコンクリート壁の内面に設けられた溝に、前記継手の両取付部を形成する各係合突起を嵌合させて、前記継手を両コンクリート二次製品に装着する。この構成によれば、継手の係合突起をコンクリート壁の溝に嵌合させるので、継手がコンクリート二次製品から抜けるのを防止できる。したがって、接着剤などを用いる必要がないので、接続作業がさらに容易になる。
【００２３】
本発明の好ましい実施形態では、前記溝に止水材を挿入した後に、前記係合突起を嵌合させる。この構成によれば、止水材を溝に挿入するという簡易な作業のみで、流路を通過する液体が継手の外周へ流れ出るのを一層確実に防止することができる。
【００２４】
本発明の好ましい実施形態では、前記継手施工方法によって前記継手を両コンクリートに装着した後、コンクリート二次製品の敷設場所に合わせて、両コンクリート二次製品の流路中心線同士の交差角を調整する。この構成によれば、コンクリート二次製品の流路中心線同士の交差角を調整するだけ、つまりコンクリート二次製品の位置を調整するだけで、道路の曲線部分にコンクリート二次製品を配設できる。
【００２５】
【発明の実施の形態】
以下、本発明の好ましい実施形態について図面を参照しながら詳述する。
図１の縦断面図に示すように、本発明にかかるコンクリート二次製品の接続構造は、流路方向Ｓに多数並べられ、コンクリート壁１１によって流路２１を形成するコンクリート二次製品１に対し、その継目２に可撓性を持つリング状の継手３を介在させた継手構造である。
【００２６】
隣接するコンクリート二次製品１は円形流路を形成するための側溝ブロックである。隣接する側溝ブロック１，１が継手３によって接続されると、流路２１，２１が連結される。側溝ブロック１はその長手方向Ｘに沿って、すなわち流路２１に沿って直線状であるため、道路の側方に位置する側溝の曲線部Ｌ１０、つまり曲がった場所に敷設する場合、隣接する側溝ブロック１，１の流路中心線２２，２２同士の交差角θ１を１８０°以外、この例では１７４°にして配置されている。このようにして複数の側溝ブロック１を配置することで、曲線部Ｌ１０における側溝の敷設が可能となる。
【００２７】
図２に示すように、側溝ブロック１は外形が直方体形状で、その中心部に円形断面Ｓ１を持つ流路２１が形成されており、その上部に、外面から流路２１に達する切欠部１８が流路方向Ｓに延びて形成されている。流路２１の中心位置を連ねた流路中心線２２は直線である。側溝ブロック１はコンクリート壁１１からなり、コンクリート壁１１は、流路方向Ｓに沿って隣接する側溝ブロック１に継手３（図１）を介して接続される。
【００２８】
側溝ブロック１の流路方向Ｓの端部には、図５（ｂ）のように側溝ブロック１同士を密接させた時に、継手３の帯部３１が邪魔にならないようにこの帯部３１を収納するための凹入部（収納部）１５が形成されている。流路方向Ｓの端部には、また、端部の近傍で端部よりも流路方向Ｓの内側部分に溝１６が形成されている。図５（ａ）に示すように、凹入部１５は、その底面１５ａが流路方向Ｓの端面１４に平行であり、周面１５ｂが壁１１の内面１１ａと同心状の円筒面である。溝１６の端面１４寄りには小壁１７を低く形成して壁１１の内面１１ａよりも径方向外側に位置させている。
【００２９】
図３に、側溝ブロック１，１間に介在させる前の自然状態の継手３の概略を示す。継手３は、周方向Ｄ１に沿って延びる帯部３１と、この帯部３１の両側端（軸方向両端）にそれぞれ位置し、取付部３２ａを有する２つの端部３２、３２とを備えている。前記帯部３１は、図１の側溝ブロック１，１間の継目２を埋めるように、この継目２に沿って延びており、交差角θ１に追従して、その周方向Ｄ１に幅寸法Ｗが変更可能になっている。前記取付部３２ａ（図３）は、コンクリート壁１１に取り付けられる。
【００３０】
図３の継手３は、帯部３１および端部３２が一体的にゴム材料から形成される。ゴム材料としては、耐侯性、耐水性、および耐アルカリ性等に優れた天然ゴム、スチレンブタジエンゴム、クロロプレンゴム、またはエチレンプロピレンゴム等の合成ゴムが好ましい。また、継手３はゴム材料以外の材料、例えば、軟質で耐侯性、および耐水性等に優れた合成樹脂から形成されてもよい。このような合成樹脂としては、例えば、軟質ポリ塩化ビニール、ポリウレタン、または熱可塑性エラストマー等がある。
【００３１】
図４（ａ）に断面を示すように、この帯部３１は、幅方向の中心部３１ａが継手３の外方に突出するＶ字形状である。このようにＶ字形状とし、かつ上述のようにゴム材料から形成することにより、継手３の帯部３１に可撓性が付与されている。具体的には、側溝ブロック１，１（図１）の隙間、つまり継目２（図１）の大きさの変化に応じて、幅寸法Ｗは変化する。すなわち、隙間が大きいと、Ｖ字形状の頂点、つまり帯部３１の中心部３１ａが径方向内方ＳＩに変位して幅寸法Ｗが大きくなる。一方、隙間が小さい場合は、帯部３１の中心部３１ａは径方向内方ＳＩへの変位量が小さくなり、径方向外方ＳＯに大きく突出したままで、幅寸法Ｗは小さいままである。
【００３２】
なお、継手３が図１の側溝ブロック１，１間の継目２に装着されていない自然状態では、図３に示す継手３の幅寸法Ｗは帯部３１の周方向Ｄ１に変化せずに一定である。
【００３３】
図４（ａ）に示すように、継手３は、また、帯部３１と端部３２との間に、帯部３１よりも肉厚が薄い屈曲部３３が設けられている。側溝ブロック１，１（図１）の隙間が小さい場合に、この大きさに合わせて幅寸法Ｗが小さくなるが、屈曲部３３が存在するため、帯部３１の側端部分３１ｂが径方向外方ＳＯに容易に屈曲する。
【００３４】
本実施形態における継手３は、帯部３１の幅Ｗに対する高さＨの比（Ｈ／Ｗ）が、継手３に力が作用しない自然状態において、０．２５である。この比（Ｈ／Ｗ）が０．１未満であると、径方向外方ＳＯへの突出量が小さいため、幅寸法Ｗは、自然状態における寸法からほとんど増加できない。一方、この比（Ｈ／Ｗ）が０．５よりも大きいと、帯部３１の頂部３１ａが径方向外方ＳＯに大きく突出して帯部３１の端部分３１ｂがすでにある程度屈曲しているので、それ以上はスムーズに屈曲しにくくなる。したがって、帯部３１の幅方向の伸縮をスムーズにし、かつ帯部３１の幅寸法Ｗが変化できる範囲をある程度確保するには、帯部３１の幅Ｗに対する高さＨの比（Ｈ／Ｗ）が、０．１以上０．５以下の範囲内であり、好ましくは０．１５以上０．３５以下の範囲内、さらに好ましくは０．２以上０．３以下の範囲内である。
【００３５】
端部３２の取付部３２ａは係合突起からなる。この係合突起３２ａは、図５（ａ）の左右両方の側溝ブロック１におけるコンクリート壁１１の内面１１ａに設けられた溝１６にに係合し、継手３がコンクリート壁１１から抜けるのを防止する。したがって、接着剤などを用いることなく、継手３を側溝ブロック１に装着することができる。
【００３６】
図４（ａ）に示す継手３の両端部３２，３２の側溝ブロック１，１と接触する外周面には、係合突起３２ａよりも帯部３１寄りの位置にフィン３２ｂ，３２ｂが設けられている。フィン３２ｂは、端部３２から帯部３１に向かって延びている。継手３をその外面から押し付ける力が加わると、フィン３２ｂの先端部３２ｂａが継手３の内方ＳＩに向かって湾曲する。本実施形態では、１つの端部３２には、１つのフィン３２ｂを設けているが、図４（ｂ）に２つの場合を示すように、複数個設けてもよい。
【００３７】
図５（ａ）に図１の円Ａで示す部分、図５（ｂ）に図１の円Ｂで示す部分を拡大して示す。つまり、継手３を側溝ブロック１，１間の継目２に介在させた状態における、継手３と側溝ブロック１の接続構造を示す。
【００３８】
継手３の端部３２の係合突起３２ａは、コンクリート壁１１の溝１６に係合し、端部３２がコンクリート壁１１の端部に取り付けられている。継手３の端部３２の係合突起３２ａと溝１６との間には止水材４が挿入もしくは充填されている。
【００３９】
止水材４は、例えば、ＣＲスポンジもしくはウレタンスポンジのようなゴムもしくは合成樹脂の発泡体、低密度のゴムもしくは合成樹脂、または水膨潤ゴムもしくは変性シリコン系シーリング材等からなるシール材から形成される。
【００４０】
止水材４が弾性力を有すると、止水材４が係合突起３２を溝１６の側面１６ａに圧接させる。したがって、液体が外周へ流出するのをより効果的に抑制でき、一層優れた止水効果が奏される。また、止水材４の素材等によっては、継手３の端部３２が溝１６から抜けるのを防止できる。
【００４１】
フィン３２ｂは、コンクリート壁１１の小壁１７によって、先端部３２ｂａが、継手３の内方ＳＩに押圧されている。これにより、コンクリート壁１１と継手３が密着し、水密性が確保される。つまり、流路２１を通過する液体が、側溝ブロックの外側５０に漏れるのを防止できる。
【００４２】
図５（ｂ）に示すように、凹入部１５は、継手３の屈曲した帯部３１を収納する。したがって、帯部３１によって妨害されることなく、側溝ブロック１，１の端面１４，１４同士がそれぞれ曲線部Ｌ１０の内側に位置する一辺１４ａ，１４ａにおいて接することができる。
【００４３】
図１に戻って、曲線部Ｌ１０の敷設角度θ２は、隣接する側溝ブロック１，１の端面１４，１４（図２）同士が曲線部Ｌ１０の内側６１の一辺１４ａにおいて接するときに、一方の側溝ブロック１の曲線部分の内側６１に位置する外面１２ｂと、隣に位置する側溝ブロック１の前記外面１２ｂに接する曲率円Ｃの前記一辺１４ａを通る接線Ｌ２０とがなす角度をいう。本実施形態においては、敷設角度θ２は、流路中心線２２，２２同士の交差角θ１を用いると、θ２＝（１８０°−θ１）と表すことができる。例えば、長さＬ５が５０ｃｍ、幅Ｌ６が４５ｃｍの側溝ブロック１を用いると、道路の曲率半径Ｒが３ｍの場合、敷設角度θ２は、約１０°である。曲率半径Ｒが３ｍ以下であると、側溝ブロック１が道路の中央部に突き出てしまい、道路の有効面積が少なくなる。したがって、本発明の継手構造は、曲率半径Ｒが、好ましくは３ｍ以上であり、さらに好ましくは５ｍである。つまり、敷設角度θ２は、好ましくは０°よりも大きく約１０°以下であり、さらに好ましくは、約６°である。これより、本発明の継手構造は、側溝ブロック１の流路中心線同士の交差角θ１が、約１８０°未満で約１７０°以上の場合に適用するのが好ましく、約１７４°の場合に適用するのがさらに好ましい。
【００４４】
以下、本発明にかかる側溝ブロックの継手施工法を図１、図５（ａ），（ｂ）および図６（ａ）〜（ｅ）を参照しながら説明する。
まず、図１に示す排水側溝を敷設する曲線に合わせて、側溝ブロック１を大雑把に並べる。図６（ａ）に示すように、継手によって接続される２つの側溝ブロック１，１は、作業に必要な空間だけ隔てて、向かい合っている。次に、図６（ａ）のＢ−Ｂ線断面を示す図６（ｂ）のように、一方の側溝ブロック１の内面１１ａに設けられた溝１６に、止水材４を挿入する。同様に、他方の側溝ブロック１の溝１６にも止水材４を挿入する。
【００４５】
この後、図６（ｃ）に示すように、リング状の継手３を流路２１の円形断面に合わせて、端部３２を側溝ブロック１に押しつけ、軸方向内側Ｘ１に移動させる。具体的には、継手３の係合突起３２ａが溝１６に嵌まるまで、止水材４を押圧しながら端部３２を挿入する。係合突起３２ａは径方向外方への弾性復元力によって溝１６からは容易に抜けないが、止水材４によって係合突起３２が溝の側面１６ａに圧接されるので、係合突起３２の溝１６からの抜けが一層確実に防止される。このようにして、継手３の一方の取り付け部３２ａを、コンクリート壁１１に取り付ける。
【００４６】
この継手３の係合突起３２ａを溝１６へ挿入することにより、フィン３２ｂの先端部３２ｂａは、コンクリート壁１１の小壁１７によって継手３の帯部３１側に押されながら、コンクリート壁１１の溝１６と凹入部１５との間に挿入される。したがって、フィン３２ｂとコンクリート壁１１とは密着し、水密性が確保される。
【００４７】
図６（ｄ）に示すように、一方の側溝ブロック１に継手３が装着した後、同様の方法で、他方の側溝ブロック１に継手３を装着する。
【００４８】
次に、図６（ｅ）に示すように、側溝ブロック１の敷設場所に合わせて、つまり本実施形態では図１の曲線部Ｌ１０に合わせて、一方の側溝ブロック１の流路中心線２２と、他方の側溝ブロック１の流路中心線２２との交差角θ１を調整する。交差角θ１の調整は、図６（ｅ）の隣接する側溝ブロック１，１を移動させるだけでよい。
ここで、図５（ａ）に示すように、継手３は可撓性を有し、係合突起３２ａによって側溝ブロック１から抜けるのが防止されているので、調整される交差角θ１（図１）に追従して継手３の帯部３１は、図３に示す周方向Ｄ１に沿って幅寸法Ｗが変化する。したがって、図５（ａ），（ｂ）から分かるとおり、継手３の帯部３１は、平面視で扇形状となっている。つまり、図５（ａ）に示す曲線部Ｌ１０の外側部分では、帯部３１の幅寸法Ｗが大きくなり、これに比べて、図５（ｂ）に示す曲線部Ｌ１０の内側部分では、帯部３１の幅寸法Ｗが小さくなっている。
【００４９】
以上の処理を各側溝ブロック１間に施すことで、図１に示す道路の曲線部Ｌ１０における排水側溝の敷設が完了する。
【００５０】
なお、図５（ａ）に示す曲線部Ｌ１０の外側部分では、側溝ブロック１の継目２に、モルタル・コンクリートを打設してもよい。また、側溝ブロック１のコンクリート壁１１，１１の外側に土砂による埋め戻し等の処理を施し、さらに必要に応じて道路舗装を行ってもよい。このようにすることで、継手３と側溝ブロック１１とがさらに強固に接続される。本実施形態では、側溝ブロック１の内面１１ａ、つまり流路２１側に継手３の端部３２を取り付けているため、側溝ブロック１，１間にコンクリートを打設などする際に、十分な空間が確保されている。
【００５１】
本実施形態では、止水材４は側溝ブロック１の溝１６に予め挿入して、その後継手３の係合突起３２ａを溝１６に挿入したが、予め継手３の係合突起３２ａの先端に止水材４を付着させておいてもよい。
【００５２】
本発明にかかる継手構造は、道路の曲線部に適しているが、コンクリート二次製品１の交差角が０°である直線部の場合であっても、当然に適用できる。したがって、多数のコンクリート二次製品１に本発明にかかる継手施工法を繰り返し適用することで、道路の曲線部から延びる直線部にまで、コンクリート二次製品を敷設することができる。
【００５３】
【発明の効果】
以上のように本発明の継手構造によれば、隣接するコンクリート二次製品の流路中心線同士の交差角に追従して周方向の幅寸法が変化可能であるため、交差角が１８０°以外である道路の曲線部などにおいても、容易に直線状のコンクリート二次製品を敷設できる。したがって、曲線部にコンクリートを打設などせずに、コンクリート二次製品を活用できるために、工期の短縮・品質の確保等が図られる。
【図面の簡単な説明】
【図１】本発明の一実施形態にかかる継手構造を示す平面図である。
【図２】図１の継手構造を構成するコンクリート二次製品の斜視図である。
【図３】図１の継手構造を構成する継手の斜視図である。
【図４】（ａ）は、図３の幅方向部分を拡大した断面図であり、（ｂ）は、同他の実施例の断面図である。
【図５】（ａ）は、図１の円Ａ部分を拡大した平面図であり、（ｂ）は、円Ｂ部分を拡大した平面図である。
【図６】（ａ）〜（ｅ）は、図１の継手構造の施工法を示す斜視図である。
【図７】従来の継手構造を示す縦断面図である。
【図１】
0004780739.tif 000002
【図２】
0004780739.tif 000003
【図３】
0004780739.tif 000004
【図４】
0004780739.tif 000005
【図５】
0004780739.tif 000006
【図６】
0004780739.tif 000007
【図７】
0004780739.tif 000008